(57)【要約】【課題】  フルート等の唄口を有する楽器の吹き方の技法を伝授することは大変に難しく、音階を正しく吹けるようになっても、美しい音色を出すことは長期間の練習を経ても出来ないでいる。本発明はこのように困難な問題を解決に導くことを課題とする。【解決手段】  唄口を有する楽器を吹奏してある音名の音を出す時に、その音に対して唄口を吹くのに最も適した口の形の指示が記載された楽譜を用いることによって、フルートなどの唄口を有する楽器を初心者でも比較的容易に美しい音色で吹奏出来て、そのまま本格的な練習に入って行けるようにすることが出来るようになる。【選択図】図１
2009244828.tif 000002
【特許請求の範囲】
【請求項１】
ある音名の音を出す時に、唄口を吹くのに最も適した口の形、の指示が記載されていることを特徴とする、唄口を有する楽器用の楽譜。
【請求項２】
フルート用の楽譜であって、音名「Ｄｏ」「Ｓｏ」に付いてはこれを吹くのに最も適した口の形を母音「オ」を発音する時の口の形とし、音名「Ｒｅ」に付いてはこれを吹くのに最も適している口の形を母音「エ」を発音する時の口の形とし、音名「Ｍｉ」「Ｓｉ」に付いてはこれを吹くのに最も適した口の形を「イ」とし、音名「Ｒａ」に付いてはこれを吹くのに最も適した口の形を母音「ア」を発音する時の口の形とする旨の指示が記載されている、請求項１に記載の唄口を有する楽器用の楽譜。
【請求項３】
口の形の指示が４種の表記記号であって、これ等を対応する音符に副わせて用いて成る、請求項１または請求項２に記載の唄口を有する楽器用の楽譜。
【請求項４】
前記表記記号に４種の図形を用いて成る、請求項３に記載の唄口を有する楽器用の楽譜。
【請求項５】
前記表記記号に４種の口の形の絵を用いて成る、請求項３に記載の唄口を有する楽器用の楽譜。
【請求項６】
口の形の指示が４種のカラー（網掛けを含む）であって、これ等を対応する音符またはその音符まわりの五線譜に副わせて用いて成る、請求項１または請求項２に記載の唄口を有する楽器用の楽譜。
【請求項７】
口の形の指示が４種の発光体による４種のカラーの発光であって、これ等の発光体を対応する音符に副わせて用いて成る、請求項１または請求項２に記載の唄口を有する楽器用の楽譜。
【発明の詳細な説明】
【技術分野】
【０００１】  本発明は、フルートなどの唄口を有する（リードを用いない）楽器を吹いた時に初心者でも美しい音色が出せるようにするための、唄口を有する楽器用の楽譜に関するものである。
【背景技術】
【０００２】  フルートを吹奏する際に重要なことは、フルートを安定して支持し、唄口に適正に息を吹くこととされている。フルートの支持方法に付いては特開２００４−２０５６８２で詳しく開示されているが、息の適正な吹き方に関しては特許文献的には実用新案登録３０３８４５９の吹奏補助アダプターくらいしか知られていない。
【特許文献１】  特開２００４−２０５６８２
【特許文献２】  実用新案登録３０３８４５９
【発明の開示】
【発明が解決しようとする課題】
【０００３】  フルートの練習を始めた初心者にとって最も難しい点は、第１に音階が表わせないこと、第２に音を出せるようになってからもなかなか美しい音色にはならないことが上げられる。ピアノのようにあるキーを押えさえすれば決まった音が出る楽器とは異なり、唄口に適正に息を吹くことは初心者にとって至難の技であるように思われる。音楽教室などでもその教授方法はただ練習あるのみである。【０００４】  こうして次第次第に音階が表わせるようにはなるが、美しい音色を奏でることが出来るようになるまでには大変な努力が必要とされる。【０００５】  そこで本発明は上述したような問題を解決して、フルートの初心者でも美しい音色が出せるようにすることを課題とする。
【課題を解決するための手段】
【０００６】  当発明者は、ある音名の音を出す時に、唄口を吹くのに最も適した口の形があることを見出した。この口の形で息を吹くようにすれば綺麗な音が出せるのである。従ってこの口の形を指示する記譜法に基づいた唄口を有する楽器用の楽譜を提供することが可能である。【０００７】  すなわち上記課題は、フルート用の楽譜であって音名「Ｄｏ」「Ｓｏ」に付いてはこれを吹くのに最も適した口の形を母音「オ」を発音する時の口の形とし、音名「Ｒｅ」に付いてはこれを吹くのに最も適している口の形を母音「エ」を発音する時の口の形とし、音名「Ｍｉ」「Ｓｉ」に付いてはこれを吹くのに最も適した口の形を「イ」とし、また音名「Ｒａ」に付いてはこれを吹くのに最も適した口の形を母音「ア」を発音する時の口の形とする旨の指示が記載されている楽譜を提供することによって解決される。なおこれはどの階層のオクターブ付いても当てはまる。【０００８】  この発明では全ての音名を４種類に分類したこと、その各々に異なる口の形を割り当てたことが重要であり、上記の唄口を吹くのに最も適した口の形とは母音である「オ」「エ」「イ」「ア」の４つの音を発音する時に取る各々の口の形であると言うことになる。４種類に分類した音名毎に最適な口の形を取りつつ吹くことで美しい音色を出すことが出来るようになるのであって、これは世界で初めての発見であると言うことが出来る。本発明が為されてからこれまでを振り返って見れば、以前は「美しく吹くように」言われても、特に初心者には頼りにするものが何もなく、ただただ練習あるのみであった。それが今では容易に目標を定めることが出来るようになっている。こうして綺麗な音が出せるようになるまでの期間がぐっと短縮され、より高度な練習に早く入れるようになると言う効果を奏するのである。【０００９】  口の形の指示としては楽譜上に例えば「Ｄｏ」「Ｓｏ」には「オ」の文字を、「Ｒｅ」には「エ」の文字を、「Ｍｉ」「Ｓｉ」には「イ」の文字を、「Ｒａ」には「ア」の文字を、対応する音符に副わせて用いるようにすることが出来る。要するにどの口の形を取るかの指示が分かるように記されていれば良い。【００１０】  「オ」「エ」「イ」「ウ」の代わりに、発音記号の［ｏ（：）］［ｅ（：）］［ｉ（：）］［ａ（：）］を用いるようにすることが可能である。吹奏楽器であるから短母音から吹き続けれは（括弧内の長音記号）長母音になる。【００１１】  また口の形の指示か４種の表記記号であって、これ等を対応する音符に副わせて用いたり、音符の玉の部分を表記記号に代えて用いて成るものとすることが出来る。前記表記記号とは、一例として矢印（向きの異なる４種類のもの）であったり、「●□▲◇」などの見分けが付くような４つの図形のことである。これ等の表記記号を上記音名に割り振れば良く、後はこの規則に従って使用すれば良いわけである。なお同一の外形を有するも、塗り潰した「●」と中抜きの「○」とを使うことで、例えば２分音符と４分音符とを表記し分けるなどとしても良い。しかしながらこの場合でも口の形の指示は４種であることに違いはない。【００１２】  また口の形の指示が４種のカラー（網掛けを含む）であって、これ等を対応する音符またはその音符まわ���の五線譜に副わせて用いて成るものとすることが出来る。音名の分類に従って一例として音符を色分けたり、その音符の背景である五線に着色したり、その音符の背景カラーとしたりする。音符に上記カラーが印刷されたステッカーを貼り付けても良い。何れにせよこれ等のカラーを上記音名に割り振れは良く、後はこの規則に従って使用すれば良いことになる。なお網掛けは白黒の漫画でカラーを表現する時の手段として用いられることが多いが、本発明でも利用出来る。【００１３】  また口の形の指示が４種の発光体による４種のカラーの発光であって、これ等の発光体を対応する音符に副わせて用いて成るものとすることが出来る。発光体の好適な例としては、異なる色の光を発する４種類のＬＥＤ（発光ダイオード）ランプを上げることが出来る。従ってこのＬＥＤライトにはこれを点燈・消燈させるためのスイッチや電源が必要となることは言うまでもない。このスイッチはフルートであれば３７音に対応している。従ってこの内の何れか一をＯＮにすればこの音名に対応する音符のＬＥＤランプが点燈するので、これを吹くべき口の形の目印とするのである。またこのスイッチをキーボードとすることが出来る。何れにせよ教師がこのスイッチを操作して生徒に教えるのである。またスイッチを４種類のＬＥＤライトに対応する４つのスイッチに集約して構成することも可能である。このスイッチを足で操作し得るように設けても良い。また他の例として、チューナメータの音名出力をこれ等のスイッチのトリガーなどとする構成が可能である。
【発明の効果】
【００１４】  本発明によれば、唄口を有する楽器を吹奏してある音名の音を出す時に、その音に対して唄口を吹くのに最も適した口の形の指示が記載された楽譜を用いることにより、フルートなどの唄口を有する楽器を、初心者でも比較的容易に美しい音色で吹奏出来て、そのまま本格的な練習に入って行けるようにすることが出来るようになった。このような楽譜は世界でも初めてものであり、これが音楽界に及ぼす産業上の利益には計り知れないものがある。
【発明を実施するための最良の形態】
【００１５】  （第１実施形態）
図１は部分的に表わした楽譜１である。この楽譜１の各音符２の玉の部分に、その音符の音名に対応する口形を表わした口形指示部３，３０，３１，３２が絵記号として設けられている。口形指示部３は４分音符であると共に「オー」の音を出す時の口の形を、また口形指示部３０は２分音符であると共に「エー」の音を出す時の口の形を表わしており、口形指示部３１は「イー」の音を出す時の、また口形指示部３２は「アー」の音を出す時の口の形を表わしている。なお符号４は音符２の各々の下に振った音名である。口形指示部３，３０，３１，３２とこの各々に対応する音との対応関係を表示する記号解説部４０を設けてあるが、「オー」の代わりに［ｏ：］のような表記としても良い。【００１６】  従ってある音名の音を吹く時には、その音符の玉の部分の形から、取るべき口の形が分かるので、その指示の通りに吹くようにすれば良い。【００１７】  なお楽譜の五線譜や音符そのものを口形指示部とする構成では、一例「オー」「エー」「イー」「アー」の各指示に対応するカラーを決めておき、各々の音名の音符を対応するカラーで印刷したり、その音符が位置する五線の部分やその背景をカラーで印刷したものとするなども可能である。【００１８】  （第２実施形態）
図２は上述した第１実施形態の音名４の表記部位に設ける口形イラスト３３に関する。この口形イラスト３３は「オー」「エー」「イー」「アー」の４種類の発音をする時の口の形を表わしたもので、これが口形指示部３４，３５，３６，３７と成る。これは英会話の発音の練習に用いるものに似させている。【００１９】  従ってある音名の音を吹く時には、口形指示部３４，３５，３６，３７の中のどの口の形であるかを見極めて、そのイラスト通りの口の形の息を吹くようにすれば良い。【００２０】  （第３実施形態）
図３は部分的に表わした楽譜１０である。この楽譜１０の５線譜の下に網掛帯３８と言うゾーンを設けると共に、この網掛帯３８の音符２の各々の真下となる箇所に、その音符に対応する口の形を網掛けの種類で表わした口形指示部３９，３００，３０１，３０２を設けて成る。口形指示部３９の網掛けは「オー」の音を出す時の、口形指示部３００の網掛けは「エー」の音を出す時の、口形指示部３０１の網掛けは「イー」の音を出すときの、また口形指示部３０２の網掛けは「アー」の音を出す時の、口の形を指示するものである。【００２１】  従ってある音名の音を吹く時には、その音符に対応する口形指示部の網掛けの種類を見て、それが指示する通りの口の形の息を吹くようにすれば良いことになる。【００２２】  （第４実施形態）
図４で表わした第４実施形態は、デジタル信号を出力し得る楽器としての電子ピアノ６と、本発明の楽譜とを組み合わせた点に特徴を有する。ここでは各種の音符を模式的に八分音符で表わした。この音符２０にはＬＥＤライト５，５０，５１，５２がはめ込まれているが、各々発光カラーが異なり、各々本発明で言う４種の口形に対応して、ここが口形指示部３０３となっている。なお図中の符号６１は電子ピアノ６の電源を指す。【００２３】  電子ピアノ６はキーボード６０で押されたキーに対応する音符のＬＥＤライトを発光させるが、そのカラーはその音を出す際に取る口形を表わしている。従って吹奏者は他者が弾いた電子ピアノに合わせて相当する音を吹くのであるが、この際に口形指示部３０３の発光しているＬＥＤライトの色を見て、この音がどの口形の息を吹く指示であるかを読み取ることが出来る。【００２４】  なお本実施形態は電子ピアノ６を含んでいるが、電子ピアノ６を含まずに電子ピアノ６に接続し得るように設けた「ＬＥＤライトが埋め込まれた楽譜」とする構成が可能である。【００２５】  （その他の実施形態）
講演内容や演説原稿を、両面側から透明に見える液晶ディスプレイに出力する装置が存在する。これを利用して口形指示部を表示するように構成することが出来る。このような液晶表示装置では、吹奏者に対向する者から見ると何も映っておらず吹奏者しか見えないために、この液晶表示装置の存在が目立たないのであるが、吹奏者からはこの画面を透して対向する者が見えると共にこの画面にこの発明の楽譜が映って見えることになる。また本発明の楽譜は、テレビジョン受像器やコンピュータのモニタ（ヘッドマウントディスプレイ等を含む）に表示させるようにしたり、プロジェクタを用いてスクリーンに投影させるようにすることが可能である。
【産業上の利用可能性】
【００２６】  さて本発明の口形指示部のある楽譜はこれをＴシャツなどに印刷して利用するような可能性がある。また上述したチューナーメータを小型化して、本発明の口形指示部を備えた携帯電話機のストラップに取り付けるアクセサリーなどとして構成することも可能である。
【図面の簡単な説明】
【００２７】
【図１】  第１実施形態の楽譜の説明図である。
【図２】  第２実施形態の口形指示部の説明図である。
【図３】  第３実施形態の楽譜の説明図である。
【図４】  第４実施形態のブロック図を含む説明図である。
【符号の説明】
【００２８】  １      楽譜
１０    楽譜
２      音符
２０    音符
３      口形指示部
３０    口形指示部
３１    口形指示部
３２    口形指示部
３３    口形イラスト
３４    口形指示部
３５    口形指示部
３６    口形指示部
３７    口形指示部
３８    網掛帯
３９    口形指示部
３００  口形指示部
３０１  口形指示部
３０２  口形指示部
３０３  口形指示部
４      音名
４０    記号解説部
５      ＬＥＤライト
５０    ＬＥＤライト
５１    ＬＥＤライト
５２    ＬＥＤライト
６      電子ピアノ
６０    キーボード
６１    電源
【図１】
2009244828.tif 000003
【図２】
2009244828.tif 000004
【図３】
2009244828.tif 000005
【図４】
2009244828.tif 000006